(57)【要約】【課題】本発明は、撮影装置本体の厚みを薄くすることができるとともに、グリップ部を大きくすることなく、グリップ部を把持した手によって画像表示部が覆われるのを防止することができるコンパクトな撮影装置を提供する。【解決手段】カメラケース２の前面に設けられたレンズユニット３は、入射光軸Ｐに沿って前後方向に移動自在に設けられている。画像表示パネル１１は、入射光軸Ｐに対して直交方向に移動自在に設けられ、レンズユニット３が前方に移動された際には光軸方向においてレンズユニット３と重なる位置に移動され、レンズユニット３が後方に移動された際には光軸方向においてレンズユニット３と重ならない位置に移動される。【選択図】      図３
2006345059.tif 000002
【特許請求の範囲】
【請求項１】
撮影装置本体と、該撮影装置本体の前面に設けられたレンズユニットと、該撮影装置本体の背面に設けられた画像表示部とを備えた撮影装置において、
前記レンズユニットは、該レンズユニットの入射光軸に沿って前後方向に移動自在に設けられ、
前記画像表示部は、前記レンズユニットの入射光軸に対して略直交方向に移動自在に設けられ、前記レンズユニットが前方に移動された際には光軸方向においてレンズユニットと重なる位置に移動され、前記レンズユニットが後方に移動された際には光軸方向においてレンズユニットと重ならない位置に移動されることを特徴とする撮影装置。
【請求項２】
前記撮影装置本体には、前記光軸方向においてレンズユニットと重ならない位置に移動された前記画像表示部を保護する保護部材が設けられていることを特徴とする請求項１に記載の撮影装置。
【請求項３】
前記保護部材には、前記画像表示部の画像表示面を露出する開口部が形成され、該開口部には透明板が取り付けられていることを特徴とする請求項２に記載の撮影装置。
【請求項４】
前記透明板は、フレネルレンズであることを特徴とする請求項３に記載の撮影装置。
【発明の詳細な説明】
【技術分野】
【０００１】
本発明は撮影装置に係り、特に装置本体の前面にレンズユニットが設けられ、装置本体の背面に画像表示部が設けられた撮影装置に関する。
【背景技術】
【０００２】
近年、デジタルカメラ等の撮影装置は、携帯性を向上させるために、小型化、軽量化、薄型化することが望まれている。このようなデジタルカメラにおいて、カメラ本体の厚さを決定する大きな要因は、カメラ本体の前面に設けられたレンズユニット及び背面に設けられているモニタ（画像表示部）である。
【０００３】
特許文献１、２、３等に開示されたデジタルカメラでは、レリーズボタンは、操作性を考慮して、カメラの前面に向かって左側の上壁に配置され、レンズユニットは、撮影時にカメラ本体を把持するグリップ部を避けて、すなわち、カメラの前面に向かって左側部を避けて中央から右側の前壁に設けられており、モニタの画像表示パネルは、レンズユニットの入射光軸方向に対してレンズユニットと重なる位置に配置されている。しかしながら、このような配置のデジタルカメラでは、レンズユニットとモニタとが光軸方向に重なっているため、カメラ本体の厚みが厚くなるという欠点があった。また、特許文献１のデジタルカメラは、モニタを保護するカバーガラス板を設けているため、カメラ本体の厚みがその分だけ更に厚くなるという問題もあった。
【０００４】
そこで、特許文献４には、カメラ本体の厚みを薄くするために、レンズユニットと光軸方向において重ならない位置に、すなわち、カメラの背面に向かって右側にモニタをオフセットして配置したデジタルカメラが開示されている。
【特許文献１】特開平１０−３０４２２９号公報
【特許文献２】特開平１１−１９６３０３号公報
【特許文献３】特開２００４−３４１２２３号公報
【特許文献４】特開２００３−１５３０６５号公報
【発明の開示】
【発明が解決しようとする課題】
【０００５】
しかしながら、特許文献４のような位置にモニタが配置されていると、撮影時に、カメラ本体のグリップ部を把持した際に、指でモニタの一部を覆うため表示画面が見難くなるという問題があった。それを避けるために、カメラのグリップ部を大きくすると、カメラ本体がそれだけ大型化するとう欠点があった。
【０００６】
本発明は、このような事情に鑑みてなされたもので、撮影装置本体の厚みを薄くすることができるとともに、グリップ部を大きくすることなく、グリップ部を把持した手によって画像表示部が覆われるのを防止することができるコンパクトな撮影装置を提供することを目的としている。
【課題を解決するための手段】
【０００７】
請求項１に記載の発明は、前記目的を達成するために、撮影装置本体と、該撮影装置本体の前面に設けられたレンズユニットと、該撮影装置本体の背面に設けられた画像表示部とを備えた撮影装置において、前記レンズユニットは、該レンズユニットの入射光軸に沿って前後方向に移動自在に設けられ、前記画像表示部は、前記レンズユニットの入射光軸に対して略直交方向に移動自在に設けられ、前記レンズユニットが前方に移動された際には光軸方向においてレンズユニットと重なる位置に移動され、前記レンズユニットが後方に移動された際には光軸方向においてレンズユニットと重ならない位置に移動されることを特徴としている。
【０００８】
請求項１に記載の発明によれば、撮影時には、レンズユニットを撮影装置本体の前面から前方へ突出した位置に移動させ、そして、レンズユニットを前記位置に移動させることにより空いたスペースに、すなわち、光軸方向においてレンズユニットと一部又は全部が重なる位置に画像表示部を侵入移動させる。これにより撮影時には、レンズユニットの後方に画像表示部が位置するので、グリップ部を大きくすることなく、グリップ部を把持した手によって画像表示部が覆われるのを防止することができる。一方で携帯時には、画像表示部を光軸方向においてレンズユニットと重ならない位置に移動させ、そして、レンズユニットを撮影装置本体の前面から後方に引き込んだ位置に移動させる。これにより、携帯時の形態において、画像表示部の厚み分だけ撮影装置本体を薄くすることができる。
【０００９】
請求項２に記載の発明は、請求項１に記載の発明において、前記撮影装置本体には、前記光軸方向においてレンズユニットと重ならない位置に移動された前記画像表示部を保護する保護部材が設けられていることを特徴としている。
【００１０】
請求項２に記載の発明によれば、光軸方向においてレンズユニットと重ならない位置に移動された画像表示部は、撮影装置本体に設けられた保護部材によって保護される。よって、画像表示部の画像表示面を、携帯時において保護することができる。
【００１１】
請求項３に記載の発明は、請求項２に記載の発明において、前記保護部材には、前記画像表示部の画像表示面を露出する開口部が形成され、該開口部には透明板が取り付けられていることを特徴としている。
【００１２】
請求項３に記載の発明によれば、画像表示部の画像表示面を露出する開口部を保護部材に形成し、この開口部に透明板を取り付けたので、画像表示面を透明板で保護した状態で画像表示面に表示された画像を透明板を介して視認できる。例えば、光軸方向においてレンズユニットと重ならない位置に画像表示部が移動された際に、撮影モードから画像再生モードにモードが切り替えられる撮像装置の場合には、透明板によって画像表示面を保護した状態で画像を見ることができるので好適である。
【００１３】
請求項４に記載の発明は、請求項３に記載の発明において、前記透明板は、フレネルレンズであることを特徴としている。
【００１４】
請求項４に記載の発明によれば、透明板をフレネルレンズとしたので、画像表示面に表示された画像を拡大して観賞することができる。
【発明の効果】
【００１５】
本発明に係る撮影装置によれば、撮影時には、レンズユニットを撮影装置本体の前面から前方へ突出した位置に移動させ、そして、レンズユニットを前記位置に移動させることにより空いたスペースに画像表示部を侵入移動させたので、グリップ部を大きくすることなく、グリップ部を把持した手によって画像表示部が覆われるのを防止することができる。一方で携帯時には、画像表示部を光軸方向においてレンズユニットと重ならない位置に移動させ、そして、レンズユニットを撮影装置本体の前面から後方に引き込んだ位置に移動させたので、画像表示部の厚み分だけ撮影装置本体を薄くすることができる。
【発明を実施するための最良の形態】
【００１６】
以下、添付図面に従って本発明に係る撮影装置の好ましい実施の形態について説明する。なお、以下の説明では、本発明の撮影装置を、電子カメラであるデジタルカメラに適用した例について説明するが、本発明はこれに限定されるものではなく、カメラ付き携帯電話機、撮像部付き携帯情報端末（ＰＤＡ）等に適用可能である。
【００１７】
図１は、実施の形態のデジタルカメラを前面側から視た斜視図であり、図２は、図１のデジタルカメラを背面側から視た斜視図である。また、図３及び図４は、図１のデジタルカメラの水平断面図であり、図５はレンズユニット及び画像表示パネルの駆動機構の一例を示した斜視図である。
【００１８】
デジタルカメラ（以下、カメラと称する）１では、カメラケース（撮影装置本体に相当）２の前面に向かって前壁２ａの右寄りにレンズユニット３が配置され、同様に、上壁２ｂの左寄りに撮影ボタン４が配置されている。また、カメラケース２の背面において、レンズユニット３の入射光軸Ｐの延長上に窓５ａが形成され、窓５ａの右側に並んで他の窓５ｂが形成されている。
【００１９】
レンズユニット３は沈胴式の鏡筒であり、大径鏡筒部分３ａ、中径鏡筒部分３ｂ、及び小径鏡筒部分３ｃがテレスコープ式に嵌合されて構成されている。なお、レンズユニット３は沈胴式のレンズユニットに限定されるものではなく、カメラケース２の前面から前方に突出するとともに、カメラケース２に少なくともその一部が収納されるレンズユニットであれば適用できる。
【００２０】
更に、カメラケース２の前壁２ａにはストロボ６ａ、ファインダ対物窓６ｂ等が配置されるとともに、上壁２ｂには電源スイッチ７が配置され、背壁２ｃにはファインダ接眼窓８、撮影・画像再生のモード選択スイッチ９、その他の操作ボタン等が配置されている。なお、窓５ａ、５ｂは別々に形成する必要はなく、両窓５ａ、５ｂを１つの窓によって形成してもよい。また、電源スイッチ６、モード選択スイッチ９、その他の操作ボタン等はカメラケース２の背壁２ｃに限定されることなく、他の壁に配置してもよい。
【００２１】
カメラ１では図３及び図４に示したように、カメラケース２の内部において、撮影ボタン４側に電池収納部１０が形成されている。また、背壁２ｃに沿って画像表示部の画像表示パネル１１が配設され、レンズユニット３と電池収納部１０との間で、画像表示パネル１１よりも前方に基板１２が配設されている。ここで、カメラケース２の背壁２ｃが、画像表示パネル１１を保護する保護部材に相当し、背壁２ｃに形成された窓５ｂが保護部材に形成された開口部に相当する。また、窓５ｂには、透明板が嵌め込まれて画像表示パネル１１の表示面が保護されている。更にまた、透明板としてフレネルレンズを使用することにより、画像表示パネル１１の表示面に表示された画像を拡大表示することができる。
【００２２】
レンズユニット３は、適宜な駆動機構１３、例えば、図５に示したように、ガイドレール１３ａにより、レンズユニット３の入射光軸Ｐに沿って前後方向にスライド自在に支持され、レンズユニット３のピン１３ｂに係合させたリンク竿１３ｃをモータ１３ｄによって揺動させることによって前後方向に移動される。また、画像表示パネル１１は、適宜な駆動機構１４、例えば、図５に示したように、画像表示パネル１１の上下面に配設したピン１４ａを、画像表示パネル１１の上下に配設されたガイドレール１４ｂの長孔に挿嵌させることにより、入射光軸Ｐに対して直交方向にスライド自在に配設され、画像表示パネル１１に配設したモータ１４ｃの軸にピニオン１４ｄを配設し、このピニオン１４ｄをラック１４ｅに噛合させ、モータ１４ｃを駆動することによって、窓５ａ、５ｂ間で移動される。なお、駆動機構１３、１４の動力伝達機構は、リンク、ラックとピニオンばかりでなく、プーリとワイヤ、スクリューロッド、電磁ソレノイド等によってもよい。
【００２３】
このカメラ１では、電源がＯＦＦの状態では、すなわち、カメラ携帯時の状態では図３に示したように、画像表示パネル１１が右側の窓５ｂに対応した画像再生位置（光軸方向においてレンズユニットと重ならない側方位置）に位置して、レンズユニット３の移動域から退避しており、レンズユニット３の後端が画像表示パネル１１の移動域に侵入している。この状態におけるレンズユニット３は、画像表示パネル１１の移動域まで退避し、その先端はカメラケース２の前壁２ａの前面まで没入されるので、カメラ１の厚みを薄くすることができる。
【００２４】
電源をＯＮにし、モード選択スイッチ９を画像再生モードにすると、上記状態で、窓５ｂを介して画像表示パネル１１に再生画像が表示される。この状態では、画像表示パネル１１がカメラケース２の背面に向かって右側に位置しているが、グリップ部１５を把持する必要がないので、画像表示パネル１１に表示されている画像が指等によって隠されることはなく、カメラ１の幅を小さくしても、グリップ部１５を十分に確保することができる。
【００２５】
また、モード選択スイッチ９を撮影モードにすると、モータ１３ｄが駆動され、レンズユニット３がカメラケース２の前壁２ａから前方へ突出される。なお、その際、図示しないが、鏡筒部分３ｂ、３ｄが鏡筒部分３ａからそれぞれ前方へ突出される。同時または続いて、モータ１４ｃが駆動され、画像表示パネル１１は、レンズユニット３が前方へ突出されて空いた空間、すなわち、レンズユニット３の後部空間に移動される。そして、画像表示パネル１１には、撮影するスルー画像が表示され、そのスルー画像は窓５ａを介して観ることができる。この状態における画像表示パネル１１は、カメラケース２の背面に向かって左側の位置（光軸方向においてレンズユニットと重なる位置）に位置しているので、左側に位置するグリップ部１５を把持しても、指によって画像表示パネル１１に表示されている画像が覆われることがない。
【００２６】
なお、撮影時においては、画像表示パネル１１の全体が、光軸方向においてレンズユニット３と重なる位置に位置する必要は必ずしもなく、少なくとも画像表示パネル１１の一部が、光軸方向においてレンズユニットと重なる位置に位置すればよい。
【００２７】
また、図５の如くレンズユニット３がカメラケース２の前壁２ａから前方へ突出した初期位置に位置したことを検知するリーフスイッチ１６が設けられている。このリーフスイッチ１６は、前記初期位置に位置すると、レンズユニット３と連動するリンク竿１３ｃに形成された爪部１７に押圧されて閉となり、ＯＮ信号が図６に示すＣＰＵ２０に出力される。このＣＰＵ２０によるシーケンス制御については後述する。
【００２８】
図６は、カメラ１のブロック図が示され、カメラ１全体の動作は中央処理装置（ＣＰＵ）２０によって統括制御される。 ＣＰＵ２０は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２９】
バス２２を介してＣＰＵ２０と接続されたＲＯＭ２４には、ＣＰＵ２０が実行するプログラム及び制御に必要な各種データ等が格納され、ＥＥＰＲＯＭ２６には、ＣＣＤ画素欠陥情報、カメラ動作に関する各種定数／情報等が格納されている。
【００３０】
また、メモリ（ＳＤＲＡＭ）２８は、プログラムの展開領域及びＣＰＵ２０の演算作業用領域として利用されるとともに、画像データや音声データの一時記憶領域として利用される。ＶＲＡＭ３０は画像データ専用の一時記憶メモリであり、Ａ領域３０ＡとＢ領域３０Ｂが含まれている。メモリ２８とＶＲＡＭ３０は共用することが可能である。
【００３１】
カメラ１にはモード選択スイッチ９、撮影ボタン４、その他、メニュー／ＯＫキー、十字キー、キャンセルキーなどの操作手段（図２には不図示）３２が設けられている。これら各種の操作部（４、９、３２）からの信号はＣＰＵ２０に入力され、ＣＰＵ２０は入力信号に基づいてカメラ１の各回路を制御し、例えば、レンズ駆動制御、撮影動作制御、画像処理制御、画像データの記録／再生制御、画像表示パネル１１の表示制御などを行う。
【００３２】
モード選択スイッチ９は、撮影モードと再生モードとを切り換えるための操作手段である。モード選択スイッチ９を操作して可動接片９Ａを接点ａに接続させると、その信号がＣＰＵ２０に入力され、カメラ１は撮影モードに設定され、可動接片９Ａを接点ｂに接続させると、カメラ１は記録済みの画像を再生する再生モードに設定される。
【００３３】
撮影ボタン４は、撮影開始の指示を入力する操作ボタンであり、半押し時にＯＮするＳ１スイッチと、全押し時にＯＮするＳ２スイッチとを有する二段ストローク式のスイッチで構成されている。
【００３４】
メニュー／ＯＫキーは、画像表示パネル１１の画面上にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタンとして機能する。キャンセルキーは、選択項目など所望の対象の消去や指示内容の取消し、あるいは１つ前の操作状態に戻らせる時などに使用される。
【００３５】
画像表示パネル１１は、ユーザインターフェース用表示画面としても利用され、必要に応じてメニュー情報や選択項目、設定内容などの情報が表示される。この画像表示パネル１１は液晶ディスプレイであるが、これに代えて、有機ＥＬなど他の方式の表示装置を用いることも可能である。
【００３６】
カメラ１は、メディアソケット３４を有し、メディアソケット３４には記録メディア３６を装着することができる。記録メディアの形態は特に限定されず、スマートメディア（商標）に代表される半導体メモリカード、可搬型小型ハードディスク、磁気ディスク、光ディスク、光磁気ディスクなど、種々の媒体を用いることができる。
【００３７】
メディアコントローラ３８は、メディアソケット３４に装着される記録メディア３６に適した入出力信号の受渡しを行うために所要の信号変換を行う。
【００３８】
また、カメラ１はパソコンその他の外部機器と接続するための通信手段としてＵＳＢインターフェース部４０を備えている。図示せぬＵＳＢケーブルを用いてカメラ１と外部機器を接続することにより、外部機器との間でデータの受渡しが可能となる。もちろん、通信方式はＵＳＢに限らず、その他の通信方式を適用してもよい。
【００３９】
次に、カメラ１の撮影機能について説明する。
【００４０】
モード選択スイッチ９によって撮影モードが選択されると、カラーＣＣＤ固体撮像素子（以下ＣＣＤと記載）４２を含む撮像部に電源が供給され、撮影可能な状態になる。
【００４１】
レンズユニット３は、フォーカスレンズを含む撮影レンズ４４と絞り兼用メカシャッター４５とを含む光学ユニットである。レンズユニット３は、ＣＰＵ２０によって制御されるレンズ駆動部４６、絞り駆動部４８によって電動駆動され、ズーム制御、フォーカス制御及びアイリス制御が行われる。
【００４２】
レンズユニット３を通過した光は、ＣＣＤ４２の受光面に結像される。ＣＣＤ４２の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ４２は、各フォトダイオードの電荷蓄積時間（シャッタースピード）を制御する電子シャッター機能を有している。ＣＰＵ２０は、タイミングジェネレータ５０を介してＣＣＤ４２での電荷蓄積時間を制御する。なお、ＣＣＤ４２に代えてＭＯＳ型など他の方式の撮像素子を用いてもよい。
【００４３】
ＣＣＤ４２の受光面に結像された被写体像は、各フォトダイオードによって入射光量に応じた量の信号電荷に変換される。各フォトダイオードに蓄積された信号電荷は、ＣＰＵ２０の指令に従いタイミングジェネレータ５０から与えられる駆動パルスに基づいて信号電荷に応じた電圧信号（画像信号）として順次読み出される。
【００４４】
ＣＣＤ４２から出力された信号はアナログ処理部（ＣＤＳ／ＡＭＰ）５２に送られ、ここで画素ごとのＲ，Ｇ，Ｂ信号がサンプリングホールド（相関二重サンプリング処理）され、増幅された後、Ａ／Ｄ変換器５４に加えられる。Ａ／Ｄ変換器５４によってデジタル信号に変換された点順次のＲ，Ｇ，Ｂ信号は、画像入力コントローラ５６を介してメモリ２８に記憶される。
【００４５】
画像信号処理回路５８は、メモリ２８に記憶されたＲ，Ｇ，Ｂ信号をＣＰＵ２０の指令に従って処理する。すなわち、画像信号処理回路５８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ２０からのコマンドに従ってメモリ２８を活用しながら所定の信号処理を行う。
【００４６】
画像信号処理回路５８に入力されたＲＧＢの画像データは、画像信号処理回路５８において輝度信号（Ｙ信号）及び色差信号（Ｃr,Ｃb 信号）に変換されるとともに、ガンマ補正等の所定の処理が施される。画像信号処理回路５８で処理された画像データはＶＲＡＭ３０に格納される。
【００４７】
撮影画像を画像表示パネル１１にモニタ出力する場合、ＶＲＡＭ３０から画像データが読み出され、バス２２を介してビデオエンコーダ６０に送られる。ビデオエンコーダ６０は、入力された画像データを表示用の所定方式の信号（例えば、ＮＴＳＣ方式のカラー複合映像信号）に変換して画像表示パネル１１に出力する。
【００４８】
ＣＣＤ４２から出力される画像信号によって、１コマ分の画像を表す画像データがＡ領域３０ＡとＢ領域３０Ｂとで交互に書き換えられる。ＶＲＡＭ３０のＡ領域３０Ａ及びＢ領域３０Ｂのうち、画像データが書き換えられている方の領域以外の領域から、書き込まれている画像データが読み出される。このようにしてＶＲＡＭ３０内の画像データが定期的に書き換えられ、その画像データから生成される映像信号が画像表示パネル１１に供給されることにより、撮像中の映像がリアルタイムに画像表示パネル１１に表示される。撮影者は、画像表示パネル１１に表示される映像（スルームービー画）によって撮影画角を確認できる。
【００４９】
撮影ボタン４が半押しされ、Ｓ１がオンすると、カメラ１はＡＥ及びＡＦ処理を開始する。すなわち、ＣＣＤ４２から出力された画像信号はＡ／Ｄ変換後に画像入力コントローラ５６を介してＡＦ検出回路６２並びにＡＥ／ＡＷＢ検出回路６４に入力される。
【００５０】
ＡＥ／ＡＷＢ検出回路６４は、１画面を複数のエリア（例えば、１６×１６）に分割し、分割エリアごとにＲＧＢ信号を積算する回路を含み、その積算値をＣＰＵ２０に提供する。ＣＰＵ２０は、ＡＥ／ＡＷＢ検出回路６４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ２０はＣＣＤ４２の電子シャッター及びアイリスを制御して適正な露光量を得る。
【００５１】
また、ＡＥ／ＡＷＢ検出回路６４は、自動ホワイトバランス調整時には、分割エリアごとにＲＧＢ信号の色別の平均積算値を算出し、その算出結果をＣＰＵ２０に提供する。ＣＰＵ２０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００５２】
カメラ１におけるＡＦ制御は、例えば映像信号のＧ信号の高周波成分が極大になるようにフォーカシングレンズ（撮影レンズ４４を構成するレンズ光学系のうちフォーカス調整に寄与する移動レンズ）を移動させるコントラストＡＦが適用される。すなわち、ＡＦ検出回路６２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００５３】
ＡＦ検出回路６２で求めた積算値のデータはＣＰＵ２０に通知される。ＣＰＵ２０は、レンズ駆動部４６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部４６を制御する。なお、ＡＦ評価値の演算はＧ信号を利用する態様に限らず、輝度信号（Ｙ信号）を利用してもよい。
【００５４】
撮影ボタン４が半押しされ、Ｓ１オンによってＡＥ／ＡＦ処理が行われ、撮影ボタン４が全押しされ、Ｓ２オンによって記録用の撮影動作がスタートする。Ｓ２オンに応動して取得された画像データは画像信号処理回路５８において輝度／色差信号（Ｙ／Ｃ信号）に変換され、ガンマ補正等の所定の処理が施された後、メモリ２８に格納される。
【００５５】
メモリ２８に格納されたＹ／Ｃ信号は、圧縮伸張回路６６によって所定のフォーマットに従って圧縮された後、メディアコントローラ３８を介して記録メディア３６に記録される。例えば、静止画についてはＪＰＥＧ形式で記録される。
【００５６】
モード選択スイッチ９により再生モードが選択されると、記録メディア３６に記録されている最終の画像ファイル（最後に記録されたファイル）の圧縮データが読み出される。最後の記録に係るファイルが静止画ファイルの場合、この読み出された画像圧縮データは、圧縮伸張回路６６を介して非圧縮のＹＣ信号に伸張され、画像信号処理回路５８及びビデオエンコーダ６０を介して表示用の信号に変換された後、画像表示パネル１１に出力される。これにより、当該ファイルの画像内容が画像表示パネル１１の画面上に表示される。
【００５７】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが記録メディア３６から読み出され、上記と同様にして静止画像や動画が画像表示パネル１１に再生表示される。以上がカメラ１の全体構成である。
【００５８】
図７は、ＣＰＵ２０によるシーケンス制御のうち、電源ＯＮ時のレンズユニット３と画像表示パネル１１の動作の一例を示したフローチャートである。
【００５９】
同図によれば、電源がＯＮされると（Ｓ（Ｓｔｅｐ）１００）、カメラ１のレンズユニット３の位置制御系及び画像表示パネル１１の位置制御系が初期化（イニシャライズ）され（Ｓ１１０）、まず、レンズユニット３の進退位置を検出する（Ｓ１２０）。この検出は図５に示したリーフスイッチ１６により行われ、すなわち、リーフスイッチ１６からＯＮ信号又はＯＦＦ信号が出力されていることをＣＰＵ２０が検知することにより行われる。次に、レンズユニット３が収納位置に位置していることを、ＣＰＵ２０がリーフスイッチ１６からのＯＦＦ信号により検出すると、レンズユニット３を前進させ（Ｓ１３０）、レンズユニット３が初期位置に到達した際に（Ｓ１４０）、レンズユニット３の前進を停止する（Ｓ１５０）。すなわち、リーフスイッチ１６からＯＮ信号が出力されたときに、レンズユニット３の前進を停止する。
【００６０】
次に、テレスコープ型のレンズユニット３のズーム系を駆動させて中径鏡筒部分３ｂ及び小径鏡筒部分３ｃを大径鏡筒部分３ａから繰り出させ（Ｓ１６０）、中径鏡筒部分３ｂ及び小径鏡筒部分３ｃが初期位置に到達した際に（Ｓ１７０）、中径鏡筒部分３ｂ及び小径鏡筒部分３ｃの繰り出しを停止する（Ｓ１８０）。
【００６１】
次いで、レンズユニット３の側方に位置している画像表示パネル１１を駆動させ（Ｓ１９０）、画像表示パネル１１がレンズユニット３の背面に挿入された際に（Ｓ２００）、画像表示パネル１１の移動を停止する（Ｓ２１０）。以上が電源ＯＮ時のレンズユニット３と画像表示パネル１１の動作である。
【００６２】
図８は、ＣＰＵ２０によるシーケンス制御のうち、電源ＯＦＦ時のレンズユニット３と画像表示パネル１１の動作の一例を示したフローチャートであり、基本的に図７に示したシーケンスの逆のシーケンスである。
【００６３】
同図によれば、電源がＯＦＦされると（Ｓ３００）、レンズユニット３の背面に挿入されている画像表示パネル１１を駆動させ（Ｓ３１０）、画像表示パネル１１がレンズユニット３の側面位置に移動された際に（Ｓ３２０）、画像表示パネル１１の移動を停止する（Ｓ３３０）。
【００６４】
次に、テレスコープ型のレンズユニット３のズーム系を駆動させて中径鏡筒部分３ｂ及び小径鏡筒部分３ｃを大径鏡筒部分３ａに沈胴させていき（Ｓ３４０）、中径鏡筒部分３ｂ及び小径鏡筒部分３ｃが完全に沈胴した際に（Ｓ３５０）、中径鏡筒部分３ｂ及び小径鏡筒部分３ｃの沈胴動作を停止する（Ｓ３６０）。
【００６５】
次いで、レンズユニット３の進退位置を、リーフスイッチ１６からＯＮ信号又はＯＦＦ信号により検出する（Ｓ３７０）、そして、レンズユニット３が突出した初期位置に位置していることを、ＣＰＵ２０がリーフスイッチ１６からのＯＮ信号により検出すると、レンズユニット３を後退させ（Ｓ３８０）、レンズユニット３が収納位置に到達した際に（Ｓ３９０）、レンズユニット３の後退を停止する（Ｓ４００）。すなわち、リーフスイッチ１６からＯＦＦ信号が出力されたときに、レンズユニット３の後退を停止する。以上が電源ＯＦＦ時のレンズユニット３と画像表示パネル１１の動作である。
【図面の簡単な説明】
【００６６】
【図１】実施の形態に係るデジタルカメラを前面側から視た斜視図
【図２】図１のデジタルカメラを背面側から視た斜視図
【図３】図１のデジタルカメラの水平断面図であって再生モード時及び携帯時の状態を示した説明図
【図４】図１のデジタルカメラの水平断面図であって撮影モード時の状態を示した説明図
【図５】レンズユニット及び画像表示パネルの駆動機構の一例を示した斜視図
【図６】カメラの全体構成を示したブロック図
【図７】電源ＯＮ時のレンズユニットと画像表示パネルの動作を示したフローチャート
【図８】電源ＯＦＦ時のレンズユニットと画像表示パネルの動作を示したフローチャート
【符号の説明】
【００６７】
１…デジタルカメラ、２…カメラケース、３…レンズユニット、４…撮影ボタン、５ａ、５ｂ…窓、６…電源スイッチ、７…筒状部、９…モード切換スイッチ、１０…電池収納部、１１…画像表示パネル、１２…基板、１３…レンズユニット駆動機構、１４…画像表示パネル駆動機構、１５…グリップ部
【図１】
2006345059.tif 000003
【図２】
2006345059.tif 000004
【図３】
2006345059.tif 000005
【図４】
2006345059.tif 000006
【図５】
2006345059.tif 000007
【図６】
2006345059.tif 000008
【図７】
2006345059.tif 000009
【図８】
2006345059.tif 000010